(57)【特許請求の範囲】
【請求項１】
太陽光発電パネルと、その太陽光発電パネルの複数を支持するフレームと、前記太陽光発電パネルが太陽に正対しているか否かを確認する確認器具と、前記フレームの向きを上下左右に変更させる駆動部と、前記フレームに設けた太陽の位置を捕捉する捕捉部とを含み、
前記捕捉部は、太陽の位置を捕捉する追尾センサであり、その追尾センサの信号に基づき前記フレームが左右及び上下方向に動いて太陽に真っ直ぐ向くように前記駆動部が作動する太陽光発電装置であって、
前記追尾センサとは別個に、前記太陽光発電パネルが太陽に正対しているか否かを確認する前記確認器具を有し、その確認器具が、前記フレームに固定の遮光板と、その遮光板と平行の色付き透明板からなる受光板と、前記遮光板と受光板の間に設けたその両板の間隔方向が筒軸の遮光筒とからなり、前記遮光板に太陽光取り入れ孔が形成され、前記受光板は、前記太陽光取り入れ孔からの太陽光が照射されると、その照射面の反対側からその照射位置を確認でき、その確認位置によって前記太陽光発電パネルが太陽に正対しているか否かを確認する太陽光発電装置。
【請求項２】
前記太陽光発電パネルが、集光型太陽光発電パネルと、平板型太陽光発電パネルとからなる請求項１に記載の太陽光発電装置。
【請求項３】
前記集光型太陽光発電パネルと平板型太陽光発電パネルの配置は、その太陽光発電パネルの支持部のフレームの上下左右変更支点に対し、その支点側に集光型太陽光発電パネル、その集光型太陽光発電パネルの外側に平板型太陽光発電パネルを設けた請求項２に記載の太陽光発電装置。
【請求項４】
前記各太陽光発電パネルの側面に突出するリブ片を有し、前記フレームは前記リブ片が当てがわれるフランジを有して、隣り合う太陽光発電パネルの対向する両リブ片を前記フランジに当てがい、太陽光発電パネルの表面側から、前記リブ片を前記フランジにビス止めした請求項１乃至３の何れか１項に記載の太陽光発電装置。
【発明の詳細な説明】
【技術分野】
【０００１】
この発明は、太陽光発電装置に関するものである。
【背景技術】
【０００２】
太陽光発電パネルは、長方形底板の全周囲を側板で囲んだ扁平直方体状凹型筐体と、その筐体の開口に設けた透光板と、前記筐体内に設けられて前記透光板を通った太陽光を電気に変換する発電素子とからなる構成が一般的である。
【０００３】
この構成の太陽光発電パネルは、発電素子（セル）の多数を平面状に隣接して配列し、太陽光をその各発電素子に直接に照射して発電する平板型（特許文献１、図１等参照）と、前記透光板をフレネルレンズ等の集光板としてそのレンズで太陽光を集光し発電素子に照射し太陽光エネルギーを濃縮して発電する集光型（特許文献２段落００２５〜００２６、図２参照）とがある。
また、太陽光発電パネルの設置態様（太陽光発電装置）としては、屋根等に固定する固定型と、太陽を追尾（追日）する架台に設置される追尾型とがあり、前記集光型は、太陽の位置で集光位置がずれるため、太陽光発電パネルが常に太陽に正対する（直達光が直交する）様に追尾型となっている（特許文献２段落００２０〜００２１、図１参照）。
【先行技術文献】
【特許文献】
【０００４】
【特許文献１】特開２００２−２２２９７２号公報
【特許文献２】特開２０１２−２５６７８３号公報
【０００５】
ところで、日の出とともに太陽光は大地に降り注ぐが、図１３Ａの２点鎖線に示すように、固定型の太陽光発電パネルには、その日の出から、直達光が真っ直ぐに当らず、斜めに差し込むため、発電量は、日の出から徐々に立ち上がり、昼近くでピークになって日の入りに向かって徐々に低下していく。これに対し、同図１点鎖線で示すように、追尾型の太陽光発電パネルは、太陽が出れば、その太陽に向くため、日の出から直達光が真っ直ぐに当り、フルパワー発電となって、その状態は日の入り近くまで続く。このため、一般的には、同一の照射面積の場合、固定型に対し追尾型の発電量は１．４倍とされており、平板型においても、追尾架台に設置して追尾型とするものが増えている。
【０００６】
また、太陽光の当る面積が同じで発電量が同じとすれば、平板型はその太陽光の照射面積の大きさの発電素子が必要であるのに対し、集光型は、集光度合に応じた、例えば、１／１００の面積に集光できれば、平面型に対して１／１００の大きさの発電素子で十分である。
【０００７】
このように、集光・追尾型太陽光発電装置は、平板・固定型及び平板・追尾型太陽光発電装置に対して優れた面があり、コスト面が解決されれば、今後、太陽光発電において主流になると考えられる。
【発明の概要】
【発明が解決しようとする課題】
【０００８】
このように、集光・追尾型太陽光発電装置は発電効率の面で優れているが、曇りの日等のように、太陽が隠れている場合には、その太陽を追尾できなく、殆どの場合、太陽光を集光できずに発電量が極めて少なくなる欠点がある。一方、平板型太陽電池（平板型太陽光発電装置）は、受光面全域に発電素子があるため、その受光面に光が照射すれば、その受光によって発電する。すなわち、曇りの日等のように太陽が隠れる場合においても、少なからず、発電を行なう。
【０００９】
また、追尾型太陽光発電装置は、通常、太陽光発電パネルをその支持部となるフレームに固定支持し、そのフレームに設けた太陽の位置捕捉部でもって太陽の位置を捕捉し、その捕捉情報に基づきフレームの向きを上下左右に変更させて、太陽光発電パネルを太陽に正対させる。このとき、全ての太陽光発電パネルが太陽に正対するためには、フレームに対して全ての太陽光発電パネルが同一レベルで取付けられている必要がある。
従来における各太陽光発電パネルのフレームへの取付けは、それぞれ、水準器を使用して受光面がフレームと平行になるようにしている。この作業は繁雑であり、工夫が必要である。また、フレームも全長に亘って剛性があるわけでもなく、端になればなるほど撓む。このため、フレーム中央部の太陽光発電パネルと端部の太陽光発電パネルは、その受光面が同一に太陽に正対させることは困難である。
【００１０】
さらに、追尾型、固定型の両者の太陽光発電装置においても、太陽光発電パネルをその支持部となるフレームに固定支持するが、通常、その固定支持は、太陽光発電パネルの底板をフレームにボルト止めして行なっている。そのボルト止めは、太陽光発電パネルの裏面からの作業となる。
このため、太陽光発電パネルの補修や交換をする場合、太陽光発電パネルの裏面からボルトを外し、その太陽電池を取外し・取付けすることとなる。このとき、太陽光発電パネルはフレーム上面（表面）にその縦横に並べて取付けられているため、通常、その太陽光発電パネルの取外し・取付けは、その表面側からとなる。このため、前記裏面側のボルト止め作業者と太陽光発電パネルの取外し・取付け作業者が太陽光発電パネル群の表裏面側に必要となる。多くの作業者が必要であることは、作業コストの高騰となる。
【００１１】
この発明は、このような実状の下、集光型と平板型の利点を併せ持つものとすることを第１の課題、縦横に並べた太陽光発電パネルの全てをできる限り太陽に正対させることを第２の課題、縦横に並べた太陽光発電パネルの取外し・取付け作業性を向上させることを第３の課題とする。
【課題を解決するための手段】
【００１２】
前記第１の課題を達成するこの発明は、集光型太陽光発電パネルと、平板型太陽光発電パネルと、前記両太陽光発電パネルの複数を支持する支持部と、その支持部の向きを上下左右に変更させる駆動部と、前記支持部に設けた太陽の位置を捕捉する捕捉部とを含む太陽追尾型太陽光発電装置としたのである。
【００１３】
その集光型太陽光発電パネルと平板型太陽光発電パネルの配置は、取り付け作業性等を考慮して適宜に決定すればよいが、例えば、支持部の上下左右変更支点に対し、その支点側に集光型太陽光発電パネル、その集光型太陽光発電パネルの外側に平板型太陽光発電パネルを設けることが好ましい。前記上下左右変更支点側は、その外側に対して支持部の上下左右変更に対して大きく変化しない。このため、その変化しない領域に集光型太陽光発電パネルが位置すれば、支持部の太陽追尾に伴うパネル追尾の精度が大きく低下することがなく、太陽の直達光がパネル受光面に降り注ぐ割合も多くなるため、発電効率が高くなるからである。一方、平板型太陽光発電パネルは、その発電効率が太陽との正対精度にあまり影響されないため、前記上下左右変更支点から離れてもその発電効率の低下は少ないからである。
【００１４】
ここで、複数の太陽光発電パネルの全受光面積を一定とし、その全ての太陽光発電パネルが平板型であれば、朝から夕方まで太陽が出て太陽光を受けた場合の発電量が図１３Ａの２点鎖線で示すものとなり、同集光型であれば、同１点鎖線で示すものとなる。このため、太陽光発電パネルを平板型と集光型を半数ずつ（同数）にすれば、その発電量は同図の実線で示すものとなる。
しかし、朝から夕方まで太陽が出て太陽光が降り注ぐことは希であり、集光型はそのような発電量を確保することは困難である。このため、太陽光の照射があったりなかったりしても、その場合、太陽光発電パネルを平板型と集光型を半数ずつにすれば、図１３Ｂに示すように、平板型の発電量は２点鎖線のように、集光型の発電量は１点鎖線のようにそれぞれなって、両者の合計発電量は実線のようになる。
このため、１年間を通して考えれば、平板型と集光型の両太陽光発電パネルを併用することが最も多くの発電量を得ることができる。その平板型と集光型の割合は、設置場所の太陽光の照射時間等を実験等によって把握し、その把握値に基づいて適宜に決定する。
【００１５】
前記第２の課題を達成するこの発明は、太陽光発電パネルと、その太陽光発電パネルの複数を支持するフレームと、そのフレームの向きを上下左右に変更させる駆動部と、前記フレームに設けた太陽の位置を捕捉する捕捉部と、前記太陽光発電パネルが太陽に正対しているか否かを確認する器具とを含む太陽追尾型太陽光発電装置であって、前記太陽光発電パネルが太陽に正対しているか否かを確認する器具が、前記フレームに固定の遮光板と、その遮光板と平行の色付き透明板からなる受光板と、前記遮光板と受光板の間に設けたその両板の間隔方向が筒軸の遮光筒とからなり、前記遮光板に太陽光取り入れ孔が形成され、前記受光板は、前記太陽光取り入れ孔からの太陽光が照射されると、その照射面の反対側からその照射位置を確認でき、その確認位置によって前記太陽光発電パネルが太陽に正対しているか否かを確認する太陽追尾型太陽光発電装置としたのである。
【００１６】
例えば、縦横に並べた太陽光発電パネル群の中央部に設けた捕捉部が太陽を捕捉してフレームを各太陽光発電パネルの受光面が太陽に正対するようにその向きを変更させても（追尾しても）、フレームの撓み等によって全ての太陽光発電パネルの受光面が太陽に正対するとは限らない。一方、この確認器具は、フレーム、すなわち太陽光発電パネルの受光面が太陽に正対している場合、太陽光取り入れ孔からの太陽光が照射される受光板の位置が予め示されている。このため、例えば、この確認器具をフレームの端に設け、太陽光取り入れ孔からの太陽光が受光板の所要位置（正対位置）に照射されるように、前記捕捉部による補正や太陽光発電パネルの取り付け態様の調整等を行なう。このとき、パネル受光面に対する直達光の有効照射角度は０．２６度であるため、その角度内に全ての太陽光発電パネルの受光面の太陽に対する対向角度が入るようにする。
【００１７】
この確認器具を各太陽光発電パネルに取付ければ、その各パネル受光面が太陽に正対しているか否かを確認できる。このため、その確認に基づき、各パネルの取付け態様、例えば、フレームにボルトでもって太陽光発電パネルを取付けている場合、そのボルトに通したフレームとパネル間の座金数を調整して、フレームに対するパネル受光面の取付け角度を調整する。
また、この確認器具は数個の太陽光発電パネル毎に設けても良い。このとき、確認器具はその太陽光発電パネル群の中央に設けることができる。
さらに、この確認器具は、集光型太陽光発電パネル及びその発電装置に限らず、平板型太陽光発電パネル及びその発電装置に採用することができ、また、太陽追尾型に限らず、固定型に採用しても良い。
遮光筒は、円筒状や角筒状等の適宜な断面形状のものを採用できる。しかし、遮光しなくても、太陽光取り入れ孔からの太陽光が照射された受光板の位置が確認できれば、受光板をフレームに単に支持する支持杆で代用しても良い。また、受光板の色は、黒、灰色等が考えられるが、照射太陽光が確認できれば、色付きでなくても良い。すなわち無色透明でもよい。無色透明でも照射点は光って確認し得るからである。
【００１８】
前記第３の課題を達成するこの発明は、太陽光発電パネルと、その太陽光発電パネルの複数を支持するフレームとを含む太陽光発電装置であって、前記各太陽光発電パネルの側面に突出するリブ片を有し、前記フレームは前記リブ片が当てがわれるフランジを有して、隣り合う太陽光発電パネルの対向する両リブ片を前記フランジに当てがい、太陽光発電パネルの表面側から、前記リブ片を前記フランジにビス止め（ボルト止め）した太陽光発電装置としたのである。
【００１９】
この構成とすれば、太陽光発電パネルの表面側からのボルト止め又はボルト外しによって太陽光発電パネルをフレームから取外したり、フレームに取付けたりすることができる。
この太陽光発電パネルの取付構造は、集光型太陽光発電パネルの取付けに限らず、平板型太陽光発電パネルの取付けに採用することができ、また、太陽追尾型に限らず、固定型に採用することもできる。
【００２０】
なお、前記第１〜３の課題を達成する各発明はその２つを適宜に組み合わせたり、その３つの発明の全てを組み合わせたりすることができる。
【発明の効果】
【００２１】
前記第１の課題を達成する発明は、追尾型であることから、その追尾型の利点を有するとともに、平板型と集光型を併用したので、年間で考えれば、その一方の型のみの太陽光発電パネルを備えた発電装置に比べれば、その発電量は多いものとなる。
【００２２】
前記第２の課題を達成する発明は、簡単な構造でもって太陽に対する正対状態を確認できる。このため、各太陽光発電パネルを太陽に正確に正対することができて、高効率の発電を行なうことができる。
【００２３】
前記第３の課題を達成する発明は、太陽光発電パネルの表面側からその取外し・取付けができるため、その取付け・取外しは、一人の作業者でも行なうことができる。このため、その作業コストの低減を図ることができる。因みに、太陽光発電パネルの設置やメンテナンスにおいて、工賃はかなりのウエイトを占めており、そのコストの低減を図ることは、太陽光発電の普及を促進するものとなる。
【図面の簡単な説明】
【００２４】
【図１】この発明の一実施形態の斜視図
【図２】同実施形態の太陽光発電パネルの縦横取付け状態を示し、（Ａ）は正面図、（Ｂ）は同左側面図、（Ｃ）は同下面図
【図３】同実施形態の集光型太陽光発電パネルの斜視図
【図４】同実施形態の平板型太陽光発電パネルの斜視図
【図５】同実施形態の集光型太陽光発電パネルの取付け説明図であり、（Ａ）は取付け金具の斜視図、（Ｂ）は取付け状態の平面図、（Ｃ）は同部分正面図
【図６】同実施形態の確認器具を示し、（Ａ）は裏面からの斜視図、（Ｂ）は正面図
【図７】他の実施形態の斜視図
【図８】他の実施形態の太陽光発電パネルの一縦横取付け状態図
【図９】他の実施形態の太陽光発電パネルの一縦横取付け状態図
【図１０】他の実施形態の太陽光発電パネルの一縦横取付け状態図
【図１１】他の実施形態の太陽光発電パネルの他の縦横取付け状態図
【図１２】他の実施形態の太陽光発電パネルの他の縦横取付け状態図
【図１３】発電量比較図を示し、（Ａ）は太陽が朝から夕方まで出ている時、（Ｂ）は太陽が出たり出なかったりする時
【発明を実施するための形態】
【００２５】
この発明の一実施形態を図１〜図６に示す。この実施形態は、図１に示す追尾型太陽光発電装置である。この実施形態は、一行８台の集光型太陽光発電パネルＰ１を中央部上下にそれぞれ二段に設け、その外側に、一行５台の平板型太陽光発電パネルＰ２をそれぞれ一段に設けている。それらの集光型太陽光発電パネルＰ１、平板型太陽光発電パネルＰ２（総称符号：Ｐ）は、追尾架台Ｄに設けたフレームＦに取付けられている。フレームＦは、追尾架台Ｄに対して左右方向（追尾架台Ｄの軸心周り）かつ上下方向（追尾架台Ｄの軸心に沿う）に電動機Ｅ等によってそれぞれ回動可能となっている。この実施形態では、フレームＦが集光型太陽光発電パネルＰ１、平板型太陽光発電パネルＰ２を支持する支持部を構成し、電動機Ｅ等がその支持部（フレームＦ）の向きを上下左右に変更させる駆動部を構成する。
【００２６】
集光型太陽光発電パネルＰ１は、従来と同様に、図３に示すように、底板の全周囲を側板で囲んだ扁平長方体状の筐体１と、その筐体１の開口に設けた集光レンズ板２と、前記筐体１内に設けられて前記集光レンズ板２の各集光レンズ３に対応した発電素子（図示せず）とからなる。その大きさは、例えば、縦：８５０ｍｍ、横：６５０ｍｍ、厚さ：９５ｍｍ等として、一人で持ち運べる大きさ・重さ（軽量・薄型）となっている。この程度の大きさであると、我国の薄型ＴＶ、ＬＥＤ照明器具等の生産技術の応用によって、集光レンズ板２等の製作コストの低減や発電素子の自動実装等による低コスト化が可能である。
【００２７】
平板型太陽光発電パネルＰ２も、従来と同様に、図４に示すように、底板の全周囲を側板で囲んだ扁平長方体状の筐体１Ａと、その筐体１Ａ内全域に光電変換層が複数積層され、その表面に保護ガラス２Ａを設けたものである（特許文献１段落００１４〜００７３、図１〜図３参照）。
【００２８】
その各太陽光発電パネルＰ１、Ｐ２を縦横に配置したフレームＦの中央部に、太陽方位計（太陽追日計）Ｃ１、全天日射計Ｃ２及び太陽光直達光計Ｃ３が配置されている。太陽方位計Ｃ１によって太陽の位置（方位）を確認し、その確認信号に基づき、フレームＦが左右及び上下方向に動いて太陽に真っ直ぐ向く（正対する）回転角θと迎え角αとされる。
すなわち、常時、太陽の一日の運行に追尾して、東方向から西方向へ太陽光発電パネルＰの受光面を可動とする方位角（回転角）に制御され、太陽高度が低い日の出から高度の高い昼そして再び高度の低くなる日没まで太陽の一日の高度変化に追尾する。また、仰角方向に太陽光発電パネルＰの受光面を可動とする仰角（迎え角）に制御されて、パネル受光面を発電効率が最良となる、太陽に向かって各太陽光発電パネルＰ（受光面）が真っ直ぐ（直角）に向く（受光面が正対する）状態とされる。
また、全天日射計Ｃ２によって全天空の日射量を検出し、太陽光直達光計Ｃ３によって直達光の日射量を検出し、それらの検出量と発電量との対比によって発電効率等が計算される（特許文献２段落００２３〜００２４、図１参照）。
この実施形態においては、太陽方位計Ｃ１が追尾センサであって太陽の位置を捕捉する捕捉部を構成する。
【００２９】
集光型太陽光発電パネルＰ１の支持部となるフレームＦへの取付け構造は、図５に示すように、その表面側から取付け・取外し可能となっている。すなわち、フレームＦは、チャンネル鋼材からなる部材１０を縦横格子状に配置し、その各部材１０をボルト止め（ビス止め）や溶接等によって一体としたものである（図５（Ｃ）参照）。
また、集光型太陽光発電パネルＰ１はその側面に側方に突出するリブ片１５を有している。このため、図５（Ｃ）に示すように、隣接する集光型太陽光発電パネルＰ１、Ｐ１のリブ片１５、１５をフレーム部材１０の上側フランジ１１に当てがい、その上側（集光型太陽光発電パネルＰ１の表面側）から、さらに固定具（止め金具）１２をそのリブ片１５を介してフランジ１１に当てがい、その固定具１２をボルト１３でもって締結する。その固定具１２による締結位置は、集光型太陽光発電パネルＰ１を強固に固定取付けし得るように、集光型太陽光発電パネルＰ１の前後側面及び左右側面において適宜に設定する。
【００３０】
固定具１２は、図５（Ａ）に示すように、前後両側に立ち上がるアングル状の押圧片１２Ａとその前後の押圧片１２Ａの間の両側に斜め下向き押付片１２Ｂを有する。このため、この固定具１２をボルト１３によってフランジ１１に締結すると、その押付片１２Ｂ、１２Ｂがリブ片１５をフランジ１１に押付けて集光型太陽光発電パネルＰ１をフレーム部材１０に固定する。また、押圧片１２Ａが集光型太陽光発電パネルＰ１の表面側縁に押圧されて集光型太陽光発電パネルＰ１を押圧し、その集光型太陽光発電パネルＰ１を固定すると共に集光レンズ板２を押えてその落下を防止する。これらの押圧によって、集光型太陽光発電パネルＰ１はフレーム部材１０に強固に固定取付けされる。
このとき、予め、固定具１２及びボルト１３はフレーム部材１０に取付け、固定具１２はボルト１３に対してその軸方向に移動可能としておく。この状態において、フレームＦの表面側から集光型太陽光発電パネルＰ１をフレーム部材１０にそのリブ片１５が上側フランジ１１と固定具１２の押圧片１２Ａ及び押付片１２Ｂの間に入り込むように載置し、その後、ボルト１３でもって締結する。
【００３１】
このように、集光型太陽光発電パネルＰ１の取付け・取外しをその表面側から行なうことによって、作業性が良いものとなる。特に、この集光型太陽光発電パネルＰ１は、フレームＦの中程に取付けられているため、表面側から、取外し・取付けし得ることは有効である。この集光型太陽光発電パネルＰ１の取外しはその取付け作業と逆の操作によって行なう。
【００３２】
平板型太陽光発電パネルＰ２は、その側面にリブ片１５を有するものとして集光型太陽光発電パネルＰ１と同様の取付け態様とすることができる。しかし、この実施形態では、従来と同様に、フレーム部材１０の裏面側からのボルト止めによって取付けている。この平板型太陽光発電パネルＰ２は、フレームＦの上下部分に取付けられているため、集光型太陽光発電パネルＰ１に比べれば、裏面側からでもその取付け・取外しが容易であるからである。
【００３３】
この実施形態においては、フレームＦの下側両端に各集光型太陽光発電パネルＰ１、平板型太陽光発電パネルＰ２が太陽に正対しているか否かを確認する確認器具２０が設けられている。
この確認器具２０は、図６に示すように、フレームＦに固定の遮光板２１と、その遮光板２１と平行の色付き透明板からなる受光板２２と、前記遮光板２１と受光板２２の間に設けたその両板２１、２２の間隔方向が筒軸の遮光筒２３とからなる。
この確認器具２０は、フレームＦ、すなわち太陽光発電パネルＰ１、Ｐ２の受光面（遮光板２１）が太陽に正対している場合、遮光板２１の中央の太陽光取り入れ孔２４からの太陽光Ｃが照射される受光板２２の位置が予め示されている。その位置は、複数の同心円をケガキによって描いたり、格子状にケガイたりして、その中心２２ａとしている。遮光板２１と受光板２２の間隔（遮光筒２３の長さ）は、太陽の正対を確認できる限りにおいて任意であり、実験等によって適宜に決定する。
遮光板２１と遮光筒２３、遮光筒２３と受光板２２の一体化は、溶接やボルト止め（ビス止め）等の適宜な手段を採用する。この実施形態ではボルト２６によっている。
【００３４】
この確認器具２０は、遮光板２１をそのボルト孔２５を介してフレーム部材１０にボルト締めすることによって取付ける。この取付け状態において、太陽方位計Ｃ１によって太陽の位置（方位）を確認し、その確認信号に基づき、フレームＦが左右及び上下方向に動いて太陽に真っ直ぐ向く回転角θと迎え角αとされても（追尾しても）、フレームＦの撓み等によって全ての太陽光発電パネルＰ１、Ｐ２の受光面が太陽に正対するとは限らない。
このため、この確認器具２０でもって、太陽光取り入れ孔２４からの太陽光Ｃが受光板２２の中心２２ａに照射されるように太陽光発電パネルＰ１、Ｐ２の取り付け態様を調整して、フレーム１０の端に設けた平板型太陽光発電パネルＰ２等の受光面が太陽に正対するように調整する。このとき、遮光筒２３によって遮光板２１と受光板２２の間の太陽光Ｃの経路が遮光されているとともに、受光板２２が色付きのため、受光板への太陽光Ｃの照射位置の確認も容易かつ正確となる。
その集光型太陽光発電パネルＰ１の取り付け態様の調整は、各パネルＰのフレームＦの面上における上下左右方向位置調整、及び押付片１２Ｂ、１２Ｂとリブ片１５の間、又はリブ片１５とフランジ１１の間に座金等の介在片を入れてパネルＰのフレームＦの面に対する上下方向を移動させて行なう。このとき、直達光の照射角度は０．２６度であるため、その角度内に全ての太陽光発電パネルＰの受光面の対向角度が入るようにする。
【００３５】
このように、確認器具２０をフレームＦの端に設ければ、通常、フレームＦの端が一番撓んで、その端に位置する太陽光発電パネルＰの太陽に対する正対度合が狂うが、その端の太陽光発電パネルＰの受光面の太陽に対する角度を直達光の照射角度である０．２６度内に調整することによって、全ての集光型太陽光発電パネルＰ１、平板型太陽光発電パネルＰ２の受光面が直達光の照射角度である０．２６度内に位置させることができる。両端の太陽光発電パネルＰの受光面の太陽に対する角度が直達光の照射角度である０．２６度内であれば、その間に位置する各太陽光発電パネルＰの受光面の太陽に対する角度も直達光の照射角度である０．２６度内となるからである。
【００３６】
この確認器具２０は、フレームＦの端に限らず、その作用を発揮する限りにおいて任意である。例えば、捕捉部（太陽方位計Ｃ１）の隣に設けたり、フレームＦの四隅に設けたり、各太陽光発電パネルＰにそれぞれ設けたり、複数の太陽光発電パネルＰの中央に設けたりする。
また、捕捉部（太陽方位計Ｃ１等）の位置は、前記実施形態のように、縦横配置の集光型太陽光発電パネルＰ１の群の中央とし、その中央部にフレームＦの上下左右の回動支点が位置することが好ましい。しかし、捕捉部の位置は、フレームＦの中央に限らず、フレームＦの上下左右の回動支点に設けたり、フレームＦの左右方向の中央線上に設けたり等と、太陽の追尾に支障がない限りにおいて任意である。例えば、図７に示すように、フレームＦの左右方向の中央線上の下端に設けることができる。
【００３７】
集光型太陽光発電パネルＰ１、平板型太陽光発電パネルＰ２の配置割合等の配置態様は、発電効率等を考慮して適宜に決定すれば良いが、例えば、図８〜図１２に示す態様が考えられる。これらの集光型太陽光発電パネルＰ１、平板型太陽光発電パネルＰ２の配置態様において、図１、図２で示す態様では、例えば、集光型太陽光発電パネルＰ１：８、１６、３２、６４、９６、１２８の各設置数に対し、平板型太陽光発電パネルＰ２：６、６、１０、２０、３０、４０等の設置数が考えられる。同様に、図８に示す態様では、例えば、集光型太陽光発電パネルＰ１：８、１６、３２、６４、９６、１２８の各設置数に対し、平板型太陽光発電パネルＰ２：４、６、８、１６、２４、３２等の設置数が考えられる。図９に示す態様では、例えば、集光型太陽光発電パネルＰ１：８、１６、３２、６４、９６、１２８の各設置数に対し、平板型太陽光発電パネルＰ２：４、４、１０、２０、３０、４０等の設置数が考えられる。図１０に示す態様では、例えば、集光型太陽光発電パネルＰ１：８、１６、３２、６４、９６、１２８の各設置数に対し、平板型太陽光発電パネルＰ２：４、６、８、１６、２４、３２等の設置数が考えられる。図１１に示す態様では、例えば、集光型太陽光発電パネルＰ１：３２、６４、９６、１２８の各設置数に対し、平板型太陽光発電パネルＰ２：１０、２０、３０、４０等の設置数が考えられる。図１２に示す態様では、例えば、集光型太陽光発電パネルＰ１：８、１６、３２、６４、９６、１２８の各設置数に対し、平板型太陽光発電パネルＰ２：１２、１２、１８、３２、４２、５２等の設置数が考えられる。これらの各パネルの配置態様は上下左右において線対称とすることが好ましい。この場合、フレームＦ（支持部）の回動支点はその上下左右の対称軸の交点に位置させることが好ましい。
【００３８】
このように、実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３９】
Ｐ１  集光型太陽光発電パネル
Ｐ２  平板型太陽光発電パネル
Ｄ  追尾架台
Ｃ１  太陽方位計（太陽追日計）
Ｃ２  全天日射計
Ｃ３  太陽光直達光計
Ｆ  フレーム
１０  フレーム部材
１１  フランジ
１２  固定具
１３  ボルト
１５  リブ片
２０  確認器具
２１  遮光板
２２  受光板
２３  遮光筒
２４  太陽光取り入れ孔
【図１】
0006451776.tif 000002
【図２】
0006451776.tif 000003
【図３】
0006451776.tif 000004
【図４】
0006451776.tif 000005
【図５】
0006451776.tif 000006
【図６】
0006451776.tif 000007
【図７】
0006451776.tif 000008
【図８】
0006451776.tif 000009
【図９】
0006451776.tif 000010
【図１０】
0006451776.tif 000011
【図１１】
0006451776.tif 000012
【図１２】
0006451776.tif 000013
【図１３】
0006451776.tif 000014